(57)【要約】      （修正有）【課題】特に書類の分類および収納を便利に行うことができる両側が使用可能なアコーディオン式ファイルを提供する。【解決手段】それぞれ、端部プレートと、連結プレート１２と、カバープレート１３とを有し、連結プレート１２は可撓的に端部プレートの一端に連結され、カバープレート１３は可撓的に端部プレートの反対側に連結され、それぞれの端部プレートが互いに対向するように設置される２つの背面プレート１０と、それぞれ、互いに対応する２つの端部プレートと２つのカバープレート１３との間に設けられる２つの結合部分２０と、第１端部片と、第２端部片と、折畳片と、複数対の結合片と、複数の蛇腹空間とを有し、第１端部片、折畳片、及び第２端部片は順次に重複的なＺ字状の連結形態を呈する折畳部材３０とを有する。【選択図】図１
0003189432.tif 000002
【実用新案登録請求の範囲】
【請求項１】
２つの背面プレートと、２つの結合部分と、折畳部材とを有し、
前記各背面プレートは、端部プレートと、連結プレートと、カバープレートを有し、その内、連結プレートは、可撓的に該端部プレートの一端に連結され、該カバープレートは、可撓的に該連結プレートにおける、端部プレートと反対する側に連結され、
前記２つの背面プレートは、交互に設置され、該２つの背面プレートのそれぞれの端部プレートが互いに対向するように設置され、１つの折畳空間が該２つの背面プレートのそれぞれの端部プレートと連結プレートとの間に形成され、各背面プレートのカバープレートは、他の背面プレートの端部プレートにおける、該折畳空間と反対する側の近傍に設けられ、
前記２つの結合部分は、互いに対応する端部プレートとカバープレートとが着脱可能に、互いに対応する２つの端部プレートとカバープレートとの間に設けられ、
前記折畳部材は、可撓性を有し、第１端部片と、第２端部片と、折畳片と、複数対の結合片と、複数の蛇腹空間とを有し、該第１端部片および第２端部片はそれぞれ、前記２つの背面プレートの端部プレートに結合され、該折畳片は、該第１端部片と第２端部片との間に連結され、更に、該第１端部片、前記折畳片、及び前記第２端部片は順に重複的なＺ字状の連結形態を呈し、各対の結合片は、対向する第１端部片と、折畳片と、第２端部片との間において互いに結合され、各蛇腹空間は、対向する第１端部片と、折畳片と、第２端部片との間に形成され、隣同士の蛇腹空間の開口は、互いに反対する方向へ向かって形成されることを特徴とする両側が使用可能なアコーディオン式ファイル。
【請求項２】
前記折畳片は、接続片と、複数の連結素子とを有し、該接続片および各連結素子は、順にかつ重複的に前記第１端部片と第２端部片との間に連結され、一方、該各連結素子は、主要連結片と、付加連結片とを有し、該主要連結片と付加連結片とは折りたたまれて連結され、前記第１端部片、接続片、各連結素子、及び前記第２端部片はＺ字状の連結形態を呈し、前記折畳片の各対の結合片は、対向する第１端部片と、接続片と、各主要連結片と、各付加連結片と、第２端部片との間に互いに結合され、各互いに対向する主要連結片と付加連結片、ならびに該連結素子と該接続片、該第２端部片の間にそれぞれ蛇腹空間が形成されることを特徴とする請求項１に記載の両側が使用可能なアコーディオン式ファイル。
【請求項３】
前記折畳部材は、複数の皺状片を有し、該各皺状片は折りたたまれてそれぞれ互いに対向する第１端部片と、折畳片と、第２端部片との間に連結され、該第１端部片、折畳片、及び第２端部片と対応する皺状片とがＷ字状を呈することを特徴とする請求項１に記載の両側が使用可能なアコーディオン式ファイル。
【請求項４】
前記折畳部材は、複数の皺状片を有し、該各皺状片は折りたたまれてそれぞれ互いに対向する第１端部片と、前記接続片とが順に設置される各主要連結片及び各付加連結片と、前記第２端部片との間に連結され、前記第１端部片と、接続片と、各主要連結片と、各付加連結片と、及び第２端部片と対応する前記皺状片とがＷ字状を呈することを特徴とする請求項２に記載の両側が使用可能なアコーディオン式ファイル。
【考案の詳細な説明】
【技術分野】
【０００１】
本考案は、特に両側が使用可能なアコーディオン式ファイルに関するものである。
【背景技術】
【０００２】
図９に示すように、従来のアコーディオン式ファイルは、ケーシング５０と、結合部分６０と、内部蛇腹７０とを有し、その内、ケーシング５０は、２つのベースプレート５１と、連結プレート５２と、カバープレート５３とを有し、該２つのベースプレート５１は互いに相対する側に設けられると共に、該連結プレート５２は、可撓的に該２つのベースプレート５１を連結させ、該カバープレート５３は、可撓的に１つのベースプレート５１に連結されると共に、着脱可能にもう１つのベースプレート５１に係止され、該結合部分６０は、該カバープレート５３と、該ベースプレート５１が係止されるベースプレート５１とを係止させるように設けられ、該内部蛇腹７０は、該２つのベースプレート５１および連結プレート５２の間に設けられると共に、複数の収納部７１を有し、該各収納部７１は、該連結プレート５２と反対する方向に形成される開口を有し、使用者が結合部分６０を開けて、ケーシング５０を膨らせる時、該内部蛇腹７０をアコーディオンのように広げることができるので、書類を各収納部７１に収納することができる。
【考案の概要】
【考案が解決しようとする課題】
【０００３】
しかしながら、従来のアコーディオン式ファイルには、以下のような欠点を有する。つまり、各収納部７１は、同一の向きで前記内部蛇腹７０に配置されることから、この従来のアコーディオン式ファイルは書類を収納する時、一方向にしか開けることができなく、書類を収納するための空間が限られるので、収納する書類をうまく分類することができなかった。
【０００４】
そこで、案出されたのが本考案であって、書類分類の不便さおよび収納空間の構造上の制限を解決するために、両側が使用可能なアコーディオン式ファイルを提供することを目的としている。
【課題を解決するための手段】
【０００５】
本願の請求項１の考案は、２つの背面プレートと、２つの結合部分と、折畳部材とを有し、
前記各背面プレートは、端部プレートと、連結プレートと、カバープレートを有し、その内、連結プレートは、可撓的に該端部プレートの一端に連結され、該カバープレートは、可撓的に該連結プレートにおける、端部プレートと反対する側に連結され、
前記２つの背面プレートは、交互に設置され、該２つの背面プレートのそれぞれの端部プレートが互いに対向するように設置され、１つの折畳空間が該２つの背面プレートのそれぞれの端部プレートと連結プレートとの間に形成され、各背面プレートのカバープレートは、他の背面プレートの端部プレートにおける、該折畳空間と反対する側の近傍に設けられ、
前記２つの結合部分は、互いに対応する端部プレートとカバープレートとが着脱可能に、互いに対応する２つの端部プレートとカバープレートとの間に設けられ、
前記折畳部材は、可撓性を有し、第１端部片と、第２端部片と、折畳片と、複数対の結合片と、複数の蛇腹空間とを有し、該第１端部片および第２端部片はそれぞれ、前記２つの背面プレートの端部プレートに結合され、該折畳片は、該第１端部片と第２端部片との間に連結され、更に、該第１端部片、前記折畳片、及び前記第２端部片は順に重複的なＺ字状の連結形態を呈し、各対の結合片は、対向する第１端部片と、折畳片と、第２端部片との間において互いに結合され、各蛇腹空間は、対向する第１端部片と、折畳片と、第２端部片との間に形成され、隣同士の蛇腹空間の開口は、互いに反対する方向へ向かって形成されることを特徴とする両側が使用可能なアコーディオン式ファイル、を提供する。
【０００６】
本願の請求項２の考案は、前記折畳片は、接続片と、複数の連結素子とを有し、該接続片および各連結素子は、順にかつ重複的に前記第１端部片と第２端部片との間に連結され、一方、該各連結素子は、主要連結片と、付加連結片とを有し、該主要連結片と付加連結片とは折りたたまれて連結され、前記第１端部片、接続片、各連結素子、及び前記第２端部片はＺ字状の連結形態を呈し、前記折畳片の各対の結合片は、対向する第１端部片と、接続片と、各主要連結片と、各付加連結片と、第２端部片との間に互いに結合され、各互いに対向する主要連結片と付加連結片、ならびに該連結素子と該接続片、該第２端部片の間にそれぞれ蛇腹空間が形成されることを特徴とする請求項１に記載の両側が使用可能なアコーディオン式ファイル、を提供する。
【０００７】
本願の請求項３の考案は、前記折畳部材は、複数の皺状片を有し、該各皺状片は折りたたまれてそれぞれ互いに対向する第１端部片と、折畳片と、第２端部片との間に連結され、該第１端部片、折畳片、及び第２端部片と対応する皺状片とがＷ字状を呈することを特徴とする請求項１に記載の両側が使用可能なアコーディオン式ファイル、を提供する。
【０００８】
本願の請求項４の考案は、前記折畳部材は、複数の皺状片を有し、該各皺状片は折りたたまれてそれぞれ互いに対向する第１端部片と、前記接続片とが順に設置される各主要連結片及び各付加連結片と、前記第２端部片との間に連結され、前記第１端部片と、接続片と、各主要連結片と、各付加連結片と、及び第２端部片と対応する前記皺状片とがＷ字状を呈することを特徴とする請求項２に記載の両側が使用可能なアコーディオン式ファイル、を提供する。
【考案の効果】
【０００９】
本考案は上記の課題を解決するものであり、以下に示す効果を有する。
【００１０】
１、折畳部材の両側からそれぞれ反対する方向へ開口が形成される蛇腹空間を利用する時は、異なる結合部分を開けることにより、異なる蛇腹空間をふくらませて使用することができるので、両側を使用できるのみならず、利用可能な空間もより大きくなる。
【００１１】
２、２つの背面プレートのカバープレートは、異なる色、模様、図案などの設計を加わることにより、異なる蛇腹空間の向きを簡単に識別できるので、例えば２種類の書類をそれぞれ異なる向きの蛇腹空間に収納した場合、カバープレートの設計によって、正確にかつ速やかにカバプレートを開けて、書類を取り出すことができる。
【００１２】
３、前記折畳部材が複数の皺状片を有する態様においては、膨らませた前記折畳部材がＷ字状を呈するように、蛇腹空間がさらに大きくなる設計となっている。
【図面の簡単な説明】
【００１３】
【図１】本考案に係る両側が使用可能なアコーディオン式ファイルの第１実施例を示す斜視図である。
【図２】本考案に係る両側が使用可能なアコーディオン式ファイルの第１実施例を示す平面図である。
【図３】本考案に係る両側が使用可能なアコーディオン式ファイルにおいて、第１実施例が開けられた状態を示す斜視図である。
【図４】本考案に係る両側が使用可能なアコーディオン式ファイルにおいて、第１実施例が開けられた状態を示す平面図である。
【図５】本考案に係る両側が使用可能なアコーディオン式ファイルの第１実施例における折畳部材の部分断面平面図である。
【図６】本考案に係る両側が使用可能なアコーディオン式ファイルの第１実施例における折畳部材の展開状態を示す側面図である。
【図７】本考案に係る両側が使用可能なアコーディオン式ファイルの第２実施例における折畳部材の展開状態を示す側面図である。
【図８】本考案に係る両側が使用可能なアコーディオン式ファイルの第２実施例における折畳部材の部分断面平面図である。
【図９】従来のアコーディオン式ファイルを示す斜視図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１に示すように、本考案に係る両側が使用可能なアコーディオン式ファイルの第１実施例は、２つの背面プレート１０と、２つの結合部分２０と、折畳部材３０とを有する。
【００１６】
図２〜図４に示すように、各背面プレート１０は、端部プレート１１と、連結プレート１２と、カバープレート１３とを有し、その内、連結プレート１２は、可撓的に前記端部プレート１１の一端に連結され、該カバープレート１３は、可撓的に前記連結プレート１２における端部プレート１１と反対する側に連結され、該２つの背面プレート１０はそれぞれＵ字状を呈すると共に、該２つの背面プレート１０のそれぞれの端部プレート１０は互いに対向するように設置され、また、該２つの背面プレート１０の端部プレート１１と連結プレート１２との間に１つの折畳空間１４が形成され、各背面プレート１０のカバープレート１３が他の背面プレート１０の端部プレート１１における前記折畳空間１４の反対側の近傍に設けいられる。なお、各背面プレート１０は、需要に応じて、例えばＡ４用紙もしくは名刺を収納できるサイズに形成してもよい。
【００１７】
前記２つの結合部分２０は、互いに対応する端部プレート１１とカバープレート１３とが着脱可能に結合されるように、互いに対応する２つの端部プレート１１とカバープレート１３との間に設けられる。尚、本考案における結合部分２０は、金具、面ファスナー、マグネット部材、エラスティック部材などの部材からなってもよく、結合部分２０の数は、背面プレート１０のサイズに対応するように増加させてもよい。
【００１８】
図４〜図６に示すように、折畳部材３０は、可撓性を有すると共に、折畳空間１４の内部に設けられ、第１端部片３１と、第２端部片３２と、折畳片３８と、複数対の結合片３５と、複数の蛇腹空間３６とを備え、その内、第１端部片３１および第２端部片３２はそれぞれ、前記２つの背面プレート１０の端部プレート１１に結合され、該折畳片３８は、該第１端部片３１と第２端部片３２との間に連結されると共に、接続片３３と、複数の連結素子３４とを有し、該接続片３３および各連結素子３４は、順次にかつ重複的に該第１端部片３１と第２端部片３２との間に連結され、該各連結素子３４は、主要連結片３４１と、付加連結片３４２とを有し、該主要連結片３４１と付加連結片３４２とは、折りたたまれて連結され、該第１端部片３１、前記接続片３３、各連結素子３４、及び第２端部片３２は、Ｚ字状の連結形態を呈する。
【００１９】
前記各対の結合片３５は、前記第１端部片３１と第２端部片との間において、該折畳片３８における横方向の両側に設けられるが、その内の１対の結合片３５は、前記接続片３３の近傍における第１端部片３１の両側に設けられ、この一対の結合片３５は、該接続片３３に結合されるので、該第１端部片３１及び接続片３３がＶ字形を呈する展開不能の構成となる。さらに、前記接続片３３に連結される主要連結片３４１の両側に２対の結合片３５が設けられ、該２対の結合片３５のうち、１対の結合片３５は、前記接続片３３の近傍における主要連結片３４１の両側に設けられると共に、前記接続片３３に結合されることから、該主要連結片３４１及び接続片３３がＶ字形を呈する展開不能の構成となる。また、前記２対の結合片３５におけるもう１対の結合片３５は、該主要連結片３４１における対応する付加連結片３４２の近傍に位置すると共に、前記付加連結片３４２に結合され、これにより、該主要連結片３４１及び付加連結片３４２もＶ字形を呈する展開不能の構成となり、他の各連結素子３４における主要連結片３４１の両側にも同様に、それぞれ該主要連結片３４１に連結される付加連結片３４２に結合される２対の結合片３５が設けられる。このように、前記一対の結合片３５は、第２端部片３２の両端に設けられるのみならず、対応する連結素子３４の付加連結片３４２の近傍に位置すると共に、該対応する付加連結片３４２に連結されることから、該第２端部片３２及び付加連結片３４２がＶ字形を呈する展開不能の構成となる。また、各蛇腹空間３６は、対向する第１端部片３１と、接続片３３と、順次に配置される各主要連結片３４１及び付加連結片３４２と、第２端部片３２との間に形成され、隣同士の蛇腹空間３６の開口は、互いに反対する方向へ形成される。
【００２０】
本考案に係る両側が使用可能なアコーディオン式ファイルを使用する時は、前記２つの結合部分２０のうちの１つの結合部分２０を開けると、該結合部分２０により結合していた端部プレート１１とカバープレート１３とが分離すると共に、背面プレート１０が開き、折畳部材３０がアコーディオンのように展開することから、使用者の書類を各蛇腹空間３６の内部に収納することができる。また、前記２つの結合部分２０におけるもう１つの結合部分２０を開けると、前記折畳部材３０の反対側も同様にアコーディオン状を呈して開放されるので、該反対側の蛇腹空間３６にも書類を収納することができ、このような、両側共に書類を収納し得る構成は、書類収納空間の有効的利用の向上に繋がる。なお、２つの背面プレート１０は、異なる色、模様、図案などの設計を印加することにより、異なる蛇腹空間３６の向きが便利に識別されるので、例えば２種類の書類がそれぞれ異なる向きの蛇腹空間３６に収納されている場合、背面プレート１０の設計によって、正確にかつ速やかに蛇腹空間３６を開放させ、その内部に収納された書類を利用ことができる。
【００２１】
また、本考案に係る両側が使用可能なアコーディオン式ファイルにおける折畳部材３０を、第１端部片３１と、第２端部片３２と、接続片３３と、２対の結合片３５とからなる構成にしてもよく、その場合、該第１端部片３１、接続片３３、および第２端部片３２は、折りたたまれて連結され、Ｚ字状の連結形態を呈し、各対の結合片３５は、互いに連結される第１端部片３１と、接続片３３と、第２端部片３２とを結合させるので、前記互いに連結される第１端部片３１と、接続片３３と、第２端部片３２とがＶ字形を呈する展開不能の構成となる。この構成によれば、前記折畳部材３０は、第１端部片３１と接続片３３との間に形成される蛇腹空間３６、及び前記接続片３３と第２端部片３２との間に形成される蛇腹空間３６と２つの蛇腹空間３６を有するものとなり、また、該２つの蛇腹空間３６の開口方向は、互いに反対方向に面するものである。
【００２２】
また、図７及び図８に示すように、本考案に係る両側が使用可能なアコーディオン式ファイルに係る第２実施例においては、折畳部材３０Ａが複数の皺状片３７を有し、該各皺状片３７は折りたたまれてそれぞれ互いに対向する第１端部片３１と、接続片３３と、順次に設置される各主要連結片３４１及び各付加連結片３４２と、第２端部片３２との間に連結されるので、該第１端部片３１と、接続片３３と、各主要連結片３４１と、各付加連結片３４２と、及び第２端部片３２と対応する前記皺状片３７とがＷ字状を呈する展開不能の構成となる。
【産業上の利用可能性】
【００２３】
本考案は上記の構成を有するので、書類の分類および収納を便利に行うことができる。
【符号の説明】
【００２４】
１０ 背面プレート
１１ 端部プレート
１２ 連結プレート
１３ カバープレート
１４ 折畳空間
２０ 結合部分
３０ 折畳部材
３０Ａ 折畳部材
３１ 第１端部片
３２ 第２端部片
３３ 接続片
３４ 連結素子
３４１ 主要連結片
３４２ 付加連結片
３５ 結合片
３６ 蛇腹空間
３７ 皺状片
３８ 折畳片
【図１】
0003189432.tif 000003
【図２】
0003189432.tif 000004
【図３】
0003189432.tif 000005
【図４】
0003189432.tif 000006
【図５】
0003189432.tif 000007
【図６】
0003189432.tif 000008
【図７】
0003189432.tif 000009
【図８】
0003189432.tif 000010
【図９】
0003189432.tif 000011